(57)【要約】      （修正有）【課題】自転車用アクセサリが盗まれるのを防止し、施錠及び解錠が敏捷に行える多種連結施錠可能な自転車用錠の提供。【解決手段】多種連結施錠可能な自転車用錠は、本体１、嵌合座２、施錠機構、第１係止ブロック、第２係止ブロック、かんぬき装置Ｂ、及び外接装置３で構成され、上述の構造で構成されることにより、自転車のサドルポストと中管のクイック着脱レバー部分に連結して施錠でき、またかんぬき装置Ｂ及び外接装置３の連結ロックにより、サドル及び前、後輪或いはその他の自転車用アクセサリが盗まれるのを防止でき、且つ施錠と解錠操作が敏捷に行える。【選択図】図１
0003199471.tif 000002
【実用新案登録請求の範囲】
【請求項１】
多種連結施錠可能な自転車用錠において、本体、嵌合座、押し棒、施錠機構、第１係止ブロック及びかんぬき装置を含み、
該本体は、上ケーシングと下ケーシングで構成され、該本体の内側に第１挿入孔と第２挿入孔が設けられ、該本体外側にかんぬき挿入孔が設けられ、該本体内に押し棒収容溝、錠心収容溝、第２収容溝及び固定溝が設けられ、
該嵌合座は、該本体と組み合わされて係合し、該嵌合座の両側に第１サイドアームと第２サイドアームが設けられ、該第１サイドアームより延伸された第１サイドピンは該第１挿入孔に挿入され、該第１サイドピンに第１係合ラックが設けられ、該第２サイドピンより延伸された第２サイドピンは該第２挿入孔に挿入され、該第２サイドピンに第２係合ラックが設けられ、
該押し棒は、該押し棒収容溝内に収容され、該押し棒の一側に押圧部が設けられ、該押圧部内側に第１内ラックが設けられ、該第１係合ラックと噛み合い、該押し棒中段に第１凹溝と第１バネ収容溝が設けられ、該第１バネ収容溝内に第１バネが収容され、該押し棒の別側に第２内ラックが設けられて、該第２係合ラックと噛み合い、
該施錠機構は、該本体の錠心収容溝に収容され、該施錠機構は錠心と駆動ロッドを含み、該錠心の一側に鍵挿入孔が設けられ、該錠心の前端に錠舌が設けられ、該駆動ロッド後端に嵌合溝が設けられて該錠舌が嵌合され、且つ該駆動ロッドの前端に第２偏心柱が設けられ、該第２偏心柱の側方近くに側凸柱が設けられ、該側凸柱は該第１凹溝に対応し係合するのに用いられ、
該第１係止ブロックは、該第２収容溝内に収容され、該第１係止ブロックの前側に第２バネ収容溝が設けられ、該第２バネ収容溝に第２バネが収容され、該第１係止ブロックの側方に第２ビーズ位置制限溝が設けられ、該第２ビーズの進出制限に用いられ、該第１係止ブロックの後側に第２凹溝が設けられ、該駆動ロッドの第２偏心柱を嵌合して位置制限するのに供され、
該かんぬき装置は、その一端に設けられた固定ヘッドが該本体に固定され、該固定ヘッドは可撓体の一端に接続され、該可撓体の他端はかんぬきに接続されて、該本体のかんぬき挿入孔への挿入に供されることを特徴とする、多種連結施錠可能な自転車用錠。
【請求項２】
請求項１記載の多種連結施錠可能な自転車用錠において、上述のかんぬき挿入孔は、その内部にプッシュブロックが収容され、該プッシュブロックの内側端に第４バネ収容溝が設けられ、第４バネの収容、該第４バネによる付勢に供されることを特徴とする、多種連結施錠可能な自転車用錠。
【請求項３】
請求項１記載の多種連結施錠可能な自転車用錠において、上述の上ケーシングは、その内側に第１位置制限孔縁が設けられ、該嵌合座の内側に第２位置制限孔縁が設けられ、該第２位置制限孔縁と該第１位置制限孔縁が突き合わせ接合されて位置制限孔が形成されることを特徴とする、多種連結施錠可能な自転車用錠。
【請求項４】
請求項１記載の多種連結施錠可能な自転車用錠において、上述の上ケーシングは、その外側にさらに連結部が設けられ、該連結部の両辺側に夾持溝が設けられ、外接装置の係合部が該夾持溝に対応し係合するのに供されることを特徴とする、多種連結施錠可能な自転車用錠。
【請求項５】
多種連結施錠可能な自転車用錠において、少なくとも本体、嵌合座、押し棒、施錠機構、第１係止ブロック、第２係止ブロック、かんぬき装置、及び外接装置を含み、
該本体は、上ケーシングと下ケーシングで構成され、該本体の内側に第１挿入孔と第２挿入孔が設けられ、該本体外側にかんぬき挿入孔が設けられ、該上ケーシングの外側に連結部が設けられ、該本体内に押し棒収容溝、錠心収容溝、第１収容溝、第２収容溝及び固定溝が設けられ、
該嵌合座は、該本体と組み合わされて係合し、該嵌合座の両側に第１サイドアームと第２サイドアームが設けられ、該第１サイドアームより延伸された第１サイドピンは該第１挿入孔に挿入され、該第１サイドピンに第１係合ラックが設けられ、該第２サイドピンより延伸された第２サイドピンは該第２挿入孔に挿入され、該第２サイドピンに第２係合ラックが設けられ、
該押し棒は、該押し棒収容溝内に収容され、該押し棒の一側に押圧部が設けられ、該押圧部内側に第１内ラックが設けられ、該第１係合ラックと噛み合い、該押し棒中段に第１凹溝と第１バネ収容溝が設けられ、該第１バネ収容溝内に第１バネが収容され、該押し棒の別側に第２内ラックが設けられて、該第２係合ラックと噛み合い、
該施錠機構は、該本体の錠心収容溝に収容され、該施錠機構は錠心と駆動ロッドを含み、該錠心の一側に鍵挿入孔が設けられ、該錠心の前端に錠舌が設けられ、該駆動ロッド後端に嵌合溝が設けられ、該錠舌が嵌合され、且つ該駆動ロッドの中段に第１偏心柱が設けられ、該駆動ロッドの前端に第２偏心柱が設けられ、該第２偏心柱の側方近くに側凸柱が設けられ、該側凸柱は該第１凹溝に対応し係合するのに用いられ、
該第１係止ブロックは、該第２収容溝内に収容され、該第１係止ブロックの前側に第２バネ収容溝が設けられ、該第２バネ収容溝に第２バネが収容され、該第１係止ブロックの側方に第２ビーズ位置制限溝が設けられ、第２ビーズの進出制限に供され、該第１係止ブロック後側に第２凹溝が設けられて、該駆動ロッドの第２偏心柱を嵌合し位置制限するのに供され、
該第２係止ブロックは、該第１収容溝内に収容され、該第２係止ブロックの前側に第３バネ収容溝が設けられ、該第３バネ収容溝に第３バネが収容され、該第２係止ブロックの上部に二つの第１ビーズ位置制限溝が設けられて、該第１ビーズの進出制限に用いられ、該第２係止ブロックの後側に第３凹溝が設けられて、該駆動ロッドの該第１偏心柱を嵌合し位置制限するのに供され、
該かんぬき装置は、その一端に設けられた固定ヘッドが該本体に固定され、該固定ヘッドは可撓体の一端に接続され、該可撓体の他端にかんぬきが接続され、該本体のかんぬき挿入孔への挿入に供され、
該外接装置は、該本体の連結部に対応し係合されることを特徴とする、多種連結施錠可能な自転車用錠。
【請求項６】
請求項５記載の多種連結施錠可能な自転車用錠において、上述のかんぬき挿入孔は、その内部にプッシュブロックが収容され、該プッシュブロックの内側端に第４バネ収容溝が設けられ、第４バネの収容、該第４バネによる付勢に供されることを特徴とする、多種連結施錠可能な自転車用錠。
【請求項７】
請求項５記載の多種連結施錠可能な自転車用錠において、上述の上ケーシングは、その内側に第１位置制限孔縁が設けられ、該嵌合座の内側に第２位置制限孔縁が設けられ、該第２位置制限孔縁と該第１位置制限孔縁が突き合わせ接合されて位置制限孔が形成されることを特徴とする、多種連結施錠可能な自転車用錠。
【請求項８】
請求項５記載の多種連結施錠可能な自転車用錠において、該連結部に二つの貫通孔が設けられて、二つの第１ビーズの進出に対応し、並びに該外接装置の二つの位置制限溝に係止することを特徴とする、多種連結施錠可能な自転車用錠。
【請求項９】
請求項５記載の多種連結施錠可能な自転車用錠において、該連結部の両辺側それぞれに夾持溝が設けられ、該外接装置の両側それぞれに係合部が設けられ、それは該夾持溝に対応し係合することを特徴とする、多種連結施錠可能な自転車用錠。
【考案の詳細な説明】
【技術分野】
【０００１】
本考案は一種の多種連結施錠可能な自転車用錠に係り、特に一種の、自転車のサドルクイック着脱レバー及び外接装置の連結ロックメカニズムを提供する自転車用錠であって、自転車のサドル及び前、後輪或いはその他の自転車用アクセサリが盗まれるのを防止し、且つ施錠及び解錠操作が敏捷に行えるものに関する。
【背景技術】
【０００２】
これまで、自転車のサドルのクイック着脱レバー及び外接装置の連結メカニズムを提供し、自転車のサドル及び前、後輪或いはその他の自転車用アクセサリが盗まれるのを防止し、且つ施錠及び解錠操作が敏捷に行える自転車用錠はなかった。
【考案の概要】
【考案が解決しようとする課題】
【０００３】
以上を鑑み、本考案者は多くの研究改良をへて、遂に本考案の多種連結施錠可能な自転車用錠を完成したのであり、すなわち、本考案の創作の目的は、一種の、自転車のサドルのクイック着脱レバー及び外接装置の連結メカニズムを提供し、自転車のサドル及び前、後輪或いはその他の自転車用アクセサリが盗まれるのを防止し、且つ施錠及び解錠操作が敏捷に行える自転車用錠を提供することにある。
【課題を解決するための手段】
【０００４】
上述の創作の目的を達成するため、本考案の一種の多種連結施錠可能な自転車用錠は、本体、嵌合座、押し棒、施錠機構、第１係止ブロック及びかんぬき装置を含み、
該本体は、上ケーシングと下ケーシングで構成され、該本体の内側に第１挿入孔と第２挿入孔が設けられ、該本体外側にかんぬき挿入孔が設けられ、該本体内に押し棒収容溝、錠心収容溝、第２収容溝及び固定溝が設けられ、
該嵌合座は、該本体と組み合わされて係合し、該嵌合座の両側に第１サイドアームと第２サイドアームが設けられ、該第１サイドアームより延伸された第１サイドピンは該第１挿入孔に挿入され、該第１サイドピンに第１係合ラックが設けられ、該第２サイドピンより延伸された第２サイドピンは該第２挿入孔に挿入され、該第２サイドピンに第２係合ラックが設けられ、
該押し棒は、該押し棒収容溝内に収容され、該押し棒の一側に押圧部が設けられ、該押圧部内側に第１内ラックが設けられ、該第１係合ラックと噛み合い、該押し棒中段に第１凹溝と第１バネ収容溝が設けられ、該第１バネ収容溝内に第１バネが収容され、該押し棒の別側に第２内ラックが設けられて、該第２係合ラックと噛み合い、
該施錠機構は、該本体の錠心収容溝に収容され、該施錠機構は錠心と駆動ロッドを含み、該錠心の一側に鍵挿入孔が設けられ、該錠心の前端に錠舌が設けられ、該駆動ロッド後端に嵌合溝が設けられて該錠舌が嵌合され、且つ該駆動ロッドの前端に第２偏心柱が設けられ、該第２偏心柱の側方近くに側凸柱が設けられ、該側凸柱は該第１凹溝に対応し係合するのに用いられ、
該第１係止ブロックは、該第２収容溝内に収容され、該第１係止ブロックの前側に第２バネ収容溝が設けられ、該第２バネ収容溝に第２バネが収容され、該第１係止ブロックの側方に第２ビーズ位置制限溝が設けられ、該第２ビーズの進出制限に用いられ、該第１係止ブロックの後側に第２凹溝が設けられ、該駆動ロッドの第２偏心柱を嵌合して位置制限するのに供され、
該かんぬき装置は、その一端に設けられた固定ヘッドが該本体に固定され、該固定ヘッドは可撓体の一端に接続され、該可撓体の他端はかんぬきに接続されて、該本体のかんぬき挿入孔への挿入に供される。
【０００５】
上述のかんぬき挿入孔は、その内部にプッシュブロックが収容され、該プッシュブロックの内側端に第４バネ収容溝が設けられ、第４バネの収容、該第４バネによる押圧に供される。
【０００６】
上述の上ケーシングは、その内側に第１位置制限孔縁が設けられ、該嵌合座の内側に第２位置制限孔縁が設けられ、該第２位置制限孔縁と該第１位置制限孔縁が突き合わせ接合されて位置制限孔が形成される。
【０００７】
上述の上ケーシングは、その外側にさらに連結部が設けられ、該連結部の両辺側に夾持溝が設けられ、外接装置の係合部が該夾持溝に対応し係合するのに供される。
【０００８】
本考案の多種連結施錠可能な自転車用錠は、少なくとも本体、嵌合座、押し棒、施錠機構、第１係止ブロック、第２係止ブロック、かんぬき装置、及び外接装置を含み、
該本体は、上ケーシングと下ケーシングで構成され、該本体の内側に第１挿入孔と第２挿入孔が設けられ、該本体外側にかんぬき挿入孔が設けられ、該上ケーシングの外側に連結部が設けられ、該本体内に押し棒収容溝、錠心収容溝、第１収容溝、第２収容溝及び固定溝が設けられ、
該嵌合座は、該本体と組み合わされて係合し、該嵌合座の両側に第１サイドアームと第２サイドアームが設けられ、該第１サイドアームより延伸された第１サイドピンは該第１挿入孔に挿入され、該第１サイドピンに第１係合ラックが設けられ、該第２サイドピンより延伸された第２サイドピンは該第２挿入孔に挿入され、該第２サイドピンに第２係合ラックが設けられ、
該押し棒は、該押し棒収容溝内に収容され、該押し棒の一側に押圧部が設けられ、該押圧部内側に第１内ラックが設けられ、該第１係合ラックと噛み合い、該押し棒中段に第１凹溝と第１バネ収容溝が設けられ、該第１バネ収容溝内に第１バネが収容され、該押し棒の別側に第２内ラックが設けられて、該第２係合ラックと噛み合い、
該施錠機構は、該本体の錠心収容溝に収容され、該施錠機構は錠心と駆動ロッドを含み、該錠心の一側に鍵挿入孔が設けられ、該錠心の前端に錠舌が設けられ、該駆動ロッド後端に嵌合溝が設けられ、該錠舌が嵌合され、且つ該駆動ロッドの中段に第１偏心柱が設けられ、該駆動ロッドの前端に第２偏心柱が設けられ、該第２偏心柱の側方近くに側凸柱が設けられ、該側凸柱は該第１凹溝に対応し係合するのに用いられ、
該第１係止ブロックは、該第２収容溝内に収容され、該第１係止ブロックの前側に第２バネ収容溝が設けられ、該第２バネ収容溝に第２バネが収容され、該第１係止ブロックの側方に第２ビーズ位置制限溝が設けられ、第２ビーズの進出制限に供され、該第１係止ブロック後側に第２凹溝が設けられて、該駆動ロッドの第２偏心柱を嵌合し位置制限するのに供され、
該第２係止ブロックは、該第１収容溝内に収容され、該第２係止ブロックの前側に第３バネ収容溝が設けられ、該第３バネ収容溝に第３バネが収容され、該第２係止ブロックの上部に二つの第１ビーズ位置制限溝が設けられて、該第１ビーズの進出制限に用いられ、該第２係止ブロックの後側に第３凹溝が設けられて、該駆動ロッドの該第１偏心柱を嵌合し位置制限するのに供され、
該かんぬき装置は、その一端に設けられた固定ヘッドが該本体に固定され、該固定ヘッドは可撓体の一端に接続され、該可撓体の他端にかんぬきが接続され、該本体のかんぬき挿入孔への挿入に供され、
該外接装置は、該本体の連結部に対応し係合される。
【考案の効果】
【０００９】
本考案は、一種の、自転車のサドルのクイック着脱レバー及び外接装置の連結メカニズムを提供し、自転車のサドル及び前、後輪或いはその他の自転車用アクセサリが盗まれるのを防止し、且つ施錠及び解錠操作が敏捷に行える自転車用錠を提供している。
【図面の簡単な説明】
【００１０】
【図１】本考案の立体図である。
【図２】本考案の立体分解図である。
【図３】本考案の施錠の操作表示図である。
【図４】本考案の施錠状態の表示図である。
【図５】本考案の図４のＩ−Ｉ断面図である。
【図６】本考案と外接装置の解錠操作表示図である。
【図７】本考案の実施例の立体図（一）である。
【図８】本考案とＵ形錠の連結の立体図である。
【図９】本考案の実施例の立体図（二）である。
【図１０】本考案の解錠操作表示図である。
【考案を実施するための形態】
【００１１】
図１から図５を参照されたい。本考案の多種連結施錠可能な自転車用錠Ａは、本体１、嵌合座２、押し棒４、施錠機構５、第１係止ブロック６、第２係止ブロック７、かんぬき装置Ｂ及び外接装置３で構成される。
【００１２】
該本体１は、上ケーシング１１及び下ケーシング１２で構成され、該本体１の内側に第１挿入孔Ａ２と第２挿入孔Ａ３が設けられ、該本体１外側にかんぬき挿入孔Ａ５が設けられ、該かんぬき挿入孔Ａ５内にプッシュブロック８が設けられ、該プッシュブロック８の内側端に第４バネ収容溝８１が設けられ、該第４バネ収容溝８１に第４バネＳ４が収容され、該上ケーシング１１の内側に第１位置制限孔縁１１１が設けられ、該上ケーシング１１の外側に連結部１１２が設けられ、該連結部１１２に二つの貫通孔１１３が設けられて、対応する二つの第１ビーズＣ１の進出により該外接装置３を係止し、該連結部１１２の両辺側それぞれに夾持溝１１４が設けられ、該下ケーシング１２の内側に下位置制限孔縁１２１が設けられ、該本体１内に押し棒収容溝１２２、錠心収容溝１２３、第１収容溝１２４、第２収容溝１２５及び固定溝Ａ４が設けられる。
【００１３】
該嵌合座２は、該本体１と組み合わされて係合し、該嵌合座２の内側に第２位置制限孔縁２１が設けられ、該第２位置制限孔縁２１は該本体１の第１位置制限孔縁１１１と突き合わされて接合された後に、位置制限孔Ａ１を形成し、該嵌合座２の両側に、第１サイドアーム２２と第２サイドアーム２３が設けられ、該第１サイドアーム２２より延伸された第１サイドピン２２１は該第１挿入孔Ａ２に挿入され、該第１サイドピン２２１に第１係合ラック２２２が設けられ、該第２サイドピン２３より延伸された第２サイドピン２３１は該第２挿入孔Ａ３に挿入され、該第２サイドピン２３１に第２係合ラック２３２が設けられる。
【００１４】
該押し棒４は、該押し棒収容溝１２２内に収容され、該押し棒４の一側に押圧部４１が設けられ、該押圧部４１内側に第１内ラック４２が設けられ、該第１係合ラック２２２と噛み合い、該押し棒４中段に第１凹溝４３と第１バネ収容溝４４が設けられ、該第１バネ収容溝４４内に第１バネＳ１が収容され、該押し棒４の別側に第２内ラック４５が設けられて、該第２係合ラック２３２と噛み合い、
【００１５】
該施錠機構５は、該本体１の錠心収容溝１２３に収容され、該施錠機構５は錠心５１と駆動ロッド５２を含み、該錠心５１の一側に鍵挿入孔（図中に未表示、該錠心５１構造は周知技術であるので、説明は加えない）が設けられ、該錠心５１の前端に錠舌５１１が設けられ、該駆動ロッド５２後端に嵌合溝５２１が設けられて該錠舌５１１が嵌合され、且つ該駆動ロッド５２の中段に第１偏心柱５２２が設けられ、該駆動ロッド５２の前端に第２偏心柱５２４が設けられ、該第２偏心柱５２４の側方近くに側凸柱５２３が設けられ、該側凸柱５２３は該第１凹溝４３に対応し係合するのに用いられる。
【００１６】
該第１係止ブロック６は、該第２収容溝１２５内に収容され、該第１係止ブロック６の前側に第２バネ収容溝６１が設けられ、該第２バネ収容溝６１に第２バネＳ２が収容され、該第１係止ブロック６の側方に第２ビーズ位置制限溝６２が設けられ、該第２ビーズＣ２の進出制限に用いられ、該第１係止ブロック６の後側に第２凹溝６３が設けられ、該駆動ロッド５２の第２偏心柱５２４を嵌合して位置制限するのに供される。
【００１７】
該第２係止ブロック７は、該第１収容溝１２４内に収容され、該第２係止ブロック７の前側に第３バネ収容溝７１が設けられ、該第３バネ収容溝７１に第３バネＳ３が設けられ、該第２係止ブロック７の上部に二つの第１ビーズ位置制限溝７２が設けられ、該二つの第１ビーズＣ１の進出制御に供され、該第２係止ブロック７の後側に第３凹溝７３が設けられて、該駆動ロッド５２の第１偏心柱５２２の嵌合位置制限に用いられる。
【００１８】
該かんぬき装置Ｂは、その一端に設けられた固定ヘッドＢ１が該本体１の固定溝Ａ４に固定され、該固定ヘッドＢ１は可撓体Ｂ０の一端に接続され（該可撓体Ｂ０はスチールワイヤ或いはチェーンとされる）、該可撓体Ｂ０の他端はかんぬきＢ２に接続されて、該本体１のかんぬき挿入孔Ａ５への挿入に供される。
【００１９】
該外接装置３は、該本体１の連結部１１２に対応し係合し、それに二つの位置制限溝３２が設けられ、及び両側それぞれに係合部３１が設けられ、それは該連結部１１２の夾持溝１１４に対応し係合する。
【００２０】
上述の構造で構成されることにより、施錠操作時には（図３、４、５、７参照）、まず、該本体１及び該嵌合座２で自転車９のサドルポスト９１に接続されたクイック着脱レバー９２部分を囲み、さらに第１サイドピン２２１及び該第２サイドピン２３１を同時に該第１挿入孔Ａ２及び第２挿入孔Ａ３に挿入し、該第１係合ラック２２２、該第２係合ラック２３２は逆止めラックであるため、内向きに押動して該第１係合ラック２２２に該第１内ラック４２の逆止め制御を受けさせ、該第２係合ラック２３２に該第２内ラック４５の逆止め制御を受けさせ、並びに該第１位置制限孔縁１１１と該第２位置制限孔縁２１が完全に突き合う位置まで押し、このとき、該クイック着脱レバー９２は該本体１及び該嵌合座２により包囲される。続いて、該外接装置３の係合部３１を該連結部１１２の夾持溝１１４に係合させ、その後、該かんぬき装置Ｂの可撓体Ｂ０を該自転車９の車輪９３（たとえば前輪及び後輪）に通した後、さらに該かんぬき装置ＢのかんぬきＢ２を該本体１のかんぬき挿入孔Ａ５に挿入し、該第２ビーズＣ２が該かんぬきＢ２の係止溝Ｂ２１に係合して施錠し、該第１係止ブロック６がそれ以上が第２ビーズＣ２の制限を受けなくなり、このとき、該第２バネＳ２はその回復弾力により該第１係止ブロック６を押動し、該駆動ロッド５２の側凸柱５２３を回転させて該第１凹溝４３に対応させ嵌入させ、これにより該押し棒４の移動を制限し、これにより該本体１及び該嵌合座２を係止状態にロックし、該駆動ロッド５２の第１偏心柱５２２は該第２係止ブロック７に連動し、該第１ビーズ位置制限溝７２に強制的に該第１ビーズＣ１を該外接装置３の位置制限溝３２に嵌入させてロックし、最後に該鍵Ｋを鍵挿入孔より抜き取ると、施錠操作を完成し、これにより、どろぼうは該クイック着脱レバー９２を開くことができず、該サドルが盗まれるのを防止し、かんぬき装置Ｂは自転車９の車輪９３（たとえば前輪及び後輪）、或いはその他の自転車アクセサリに通すか、或いは全体の自転車９を停車ポストにロックすることができ、盗難の発生を防止する。
【００２１】
このほか、該外接装置３は泥よけ板、照明アラームランプシート等の自転車アクセサリとされ得て、たとえば、該外接装置３が照明アラームランプシートとされるとき（図７に示されるとおり）、該自転車用錠Ａの連結棒１１２に係合可能で、これによりアラーム効果を発生できる。また、該外接装置３はまたＵ型錠ＬのかんぬきＬ１の一部分とされ得て（たとえば、図８、９に示されるとおり）、これにより、本考案の自転車用錠Ａの連結部１１２に固定して、該Ｕ型錠Ｌ錠の収納を提供する。
【００２２】
図１０に示されるように、解錠操作時には、まず、鍵Ｋを該鍵挿入孔に挿入し、並びに錠心５１を解錠位置にまわすことで、該駆動ロッド５２を連動させて該側凸柱５２３を該第１凹溝４３より退出させ、該押し棒４がそれ以上制限を受けないようにし、このとき、該第１バネＳ１はその回復弾力によりが押し棒４を付勢して移動させ、該第１係止ラック２２２は該第１内ラック４２とそれ以上係合せず、該第２係止ラック２３２はそれ以上第２内ラック４５と係合せず、すなわち、該嵌合座２を本体１の第１挿入孔Ａ２及び第２挿入孔Ａ３より引き抜くことができるようになり、同時に該駆動ロッド５２の第２偏心柱５２４は該第１係止ブロック６を外向きに移動させることで、該第２ビーズＣ２を該第２ビーズ位置制限溝６２に進入させ、並びに該かんぬきＢ２の係止溝Ｂ２１に対する制限を離脱させ、これにより、該かんぬきＢ２を該かんぬき挿入孔Ａ５より弾性脱出させ、該駆動ロッド５２の第１偏心柱５２２は連動により該第２係止ブロック７を移動させることで、該第１ビーズＣ１を第１ビーズ位置制限溝７２に進入させると共に、該外接装置３の位置制限溝３２による制限より離脱させ、それを該連結部１１２より分離可能とし、こうして解錠操作を完成できる。
【符号の説明】
【００２３】
Ａ  自転車用錠
１  本体
１１  上ケーシング
１１１  第１位置制限孔縁
１１２  連結部
１１３  貫通孔
１１４  夾持溝
１２  下ケーシング
１２１  下位置制限孔縁
１２２  押し棒収容溝
１２３  錠心収容溝
１２４  第１収容溝
１２５  第２収容溝
２  嵌合座
２１  第２位置制限孔縁
２２  第１サイドアーム
２２１  第１サイドピン
２２２  第１係合ラック
２３  第２サイドアーム
２３１  第２サイドピン
２３２  第２係合ラック
３  外接装置
３１  係合部
３２  位置制限溝
４  押し棒
４１  押圧部
４２  第１内ラック
４３  第１凹溝
４４  第１バネ収容溝
４５  第２内ラック
５  施錠機構
５１  錠心
５１１  錠舌
５２  駆動ロッド
５２１  嵌合溝
５２２  第１偏心柱
５２３  側凸柱
５２４  第２偏心柱
６  第１係止ブロック
６１  第２バネ収容溝
６２  第２ビーズ位置制限溝
６３  第２凹溝
７  第２係止ブロック
７１  第３バネ収容溝
７２  第１ビーズ位置制限溝
７３  第３凹溝
８  プッシュブロック
８１  第４バネ収容溝
９  自転車
９１  サドルポスト
９２  クイック着脱レバー
９３  車輪
Ａ１  位置制限孔
Ａ２  第１挿入孔
Ａ３  第２挿入孔
Ａ４  固定溝
Ａ５  かんぬき挿入孔
Ｂ  かんぬき装置
Ｂ０  可撓体
Ｂ１  固定ヘッド
Ｂ２  かんぬき
Ｂ２１  係止溝
Ｃ１  第１ビーズ
Ｃ２  第２ビーズ
Ｋ  鍵
Ｌ  Ｕ型錠
Ｌ１  かんぬき
Ｓ１  第１バネ
Ｓ２  第２バネ
Ｓ３  第３バネ
Ｓ４  第４バネ
【図１】
0003199471.tif 000003
【図２】
0003199471.tif 000004
【図３】
0003199471.tif 000005
【図４】
0003199471.tif 000006
【図５】
0003199471.tif 000007
【図６】
0003199471.tif 000008
【図７】
0003199471.tif 000009
【図８】
0003199471.tif 000010
【図９】
0003199471.tif 000011
【図１０】
0003199471.tif 000012
【手続補正書】
【提出日】平成27年6月22日(2015.6.22)
【手続補正１】
【補正対象書類名】実用新案登録請求の範囲
【補正対象項目名】全文
【補正方法】変更
【補正の内容】
【実用新案登録請求の範囲】
【請求項１】
多種連結施錠可能な自転車用錠において、本体、嵌合座、押し棒、施錠機構、第１係止ブロック及びかんぬき装置を含み、
該本体は、上ケーシングと下ケーシングで構成され、該本体の内側に第１挿入孔と第２挿入孔が設けられ、該本体外側にかんぬき挿入孔が設けられ、該本体内に押し棒収容溝、錠心収容溝、第２収容溝及び固定溝が設けられ、
該嵌合座は、該本体と組み合わされて係合し、該嵌合座の両側に第１サイドアームと第２サイドアームが設けられ、該第１サイドアームより延伸された第１サイドピンは該第１挿入孔に挿入され、該第１サイドピンに第１係合ラックが設けられ、該第２サイドアームより延伸された第２サイドピンは該第２挿入孔に挿入され、該第２サイドピンに第２係合ラックが設けられ、
該押し棒は、該押し棒収容溝内に収容され、該押し棒の一側に押圧部が設けられ、該押圧部内側に第１内ラックが設けられ、該第１係合ラックと噛み合い、該押し棒中段に第１凹溝と第１バネ収容溝が設けられ、該第１バネ収容溝内に第１バネが収容され、該押し棒の別側に第２内ラックが設けられて、該第２係合ラックと噛み合い、
該施錠機構は、該本体の錠心収容溝に収容され、該施錠機構は錠心と駆動ロッドを含み、該錠心の一側に鍵挿入孔が設けられ、該錠心の前端に錠舌が設けられ、該駆動ロッド後端に嵌合溝が設けられて該錠舌が嵌合され、且つ該駆動ロッドの前端に第２偏心柱が設けられ、該第２偏心柱の側方近くに側凸柱が設けられ、該側凸柱は該第１凹溝に対応し係合するのに用いられ、
該第１係止ブロックは、該第２収容溝内に収容され、該第１係止ブロックの前側に第２バネ収容溝が設けられ、該第２バネ収容溝に第２バネが収容され、該第１係止ブロックの側方に第２ビーズ位置制限溝が設けられ、該第２ビーズの進出制限に用いられ、該第１係止ブロックの後側に第２凹溝が設けられ、該駆動ロッドの第２偏心柱を嵌合して位置制限するのに供され、
該かんぬき装置は、その一端に設けられた固定ヘッドが該本体に固定され、該固定ヘッドは可撓体の一端に接続され、該可撓体の他端はかんぬきに接続されて、該本体のかんぬき挿入孔への挿入に供されることを特徴とする、多種連結施錠可能な自転車用錠。
【請求項２】
請求項１記載の多種連結施錠可能な自転車用錠において、上述のかんぬき挿入孔は、その内部にプッシュブロックが収容され、該プッシュブロックの内側端に第４バネ収容溝が設けられ、第４バネの収容、該第４バネによる付勢に供されることを特徴とする、多種連結施錠可能な自転車用錠。
【請求項３】
請求項１記載の多種連結施錠可能な自転車用錠において、上述の上ケーシングは、その内側に第１位置制限孔縁が設けられ、該嵌合座の内側に第２位置制限孔縁が設けられ、該第２位置制限孔縁と該第１位置制限孔縁が突き合わせ接合されて位置制限孔が形成されることを特徴とする、多種連結施錠可能な自転車用錠。
【請求項４】
請求項１記載の多種連結施錠可能な自転車用錠において、上述の上ケーシングは、その外側にさらに連結部が設けられ、該連結部の両辺側に夾持溝が設けられ、外接装置の係合部が該夾持溝に対応し係合するのに供されることを特徴とする、多種連結施錠可能な自転車用錠。
【請求項５】
多種連結施錠可能な自転車用錠において、少なくとも本体、嵌合座、押し棒、施錠機構、第１係止ブロック、第２係止ブロック、かんぬき装置、及び外接装置を含み、
該本体は、上ケーシングと下ケーシングで構成され、該本体の内側に第１挿入孔と第２挿入孔が設けられ、該本体外側にかんぬき挿入孔が設けられ、該上ケーシングの外側に連結部が設けられ、該本体内に押し棒収容溝、錠心収容溝、第１収容溝、第２収容溝及び固定溝が設けられ、
該嵌合座は、該本体と組み合わされて係合し、該嵌合座の両側に第１サイドアームと第２サイドアームが設けられ、該第１サイドアームより延伸された第１サイドピンは該第１挿入孔に挿入され、該第１サイドピンに第１係合ラックが設けられ、該第２サイドアームより延伸された第２サイドピンは該第２挿入孔に挿入され、該第２サイドピンに第２係合ラックが設けられ、
該押し棒は、該押し棒収容溝内に収容され、該押し棒の一側に押圧部が設けられ、該押圧部内側に第１内ラックが設けられ、該第１係合ラックと噛み合い、該押し棒中段に第１凹溝と第１バネ収容溝が設けられ、該第１バネ収容溝内に第１バネが収容され、該押し棒の別側に第２内ラックが設けられて、該第２係合ラックと噛み合い、
該施錠機構は、該本体の錠心収容溝に収容され、該施錠機構は錠心と駆動ロッドを含み、該錠心の一側に鍵挿入孔が設けられ、該錠心の前端に錠舌が設けられ、該駆動ロッド後端に嵌合溝が設けられ、該錠舌が嵌合され、且つ該駆動ロッドの中段に第１偏心柱が設けられ、該駆動ロッドの前端に第２偏心柱が設けられ、該第２偏心柱の側方近くに側凸柱が設けられ、該側凸柱は該第１凹溝に対応し係合するのに用いられ、
該第１係止ブロックは、該第２収容溝内に収容され、該第１係止ブロックの前側に第２バネ収容溝が設けられ、該第２バネ収容溝に第２バネが収容され、該第１係止ブロックの側方に第２ビーズ位置制限溝が設けられ、第２ビーズの進出制限に供され、該第１係止ブロック後側に第２凹溝が設けられて、該駆動ロッドの第２偏心柱を嵌合し位置制限するのに供され、
該第２係止ブロックは、該第１収容溝内に収容され、該第２係止ブロックの前側に第３バネ収容溝が設けられ、該第３バネ収容溝に第３バネが収容され、該第２係止ブロックの上部に二つの第１ビーズ位置制限溝が設けられて、該第１ビーズの進出制限に用いられ、該第２係止ブロックの後側に第３凹溝が設けられて、該駆動ロッドの該第１偏心柱を嵌合し位置制限するのに供され、
該かんぬき装置は、その一端に設けられた固定ヘッドが該本体に固定され、該固定ヘッドは可撓体の一端に接続され、該可撓体の他端にかんぬきが接続され、該本体のかんぬき挿入孔への挿入に供され、
該外接装置は、該本体の連結部に対応し係合されることを特徴とする、多種連結施錠可能な自転車用錠。
【請求項６】
請求項５記載の多種連結施錠可能な自転車用錠において、上述のかんぬき挿入孔は、その内部にプッシュブロックが収容され、該プッシュブロックの内側端に第４バネ収容溝が設けられ、第４バネの収容、該第４バネによる付勢に供されることを特徴とする、多種連結施錠可能な自転車用錠。
【請求項７】
請求項５記載の多種連結施錠可能な自転車用錠において、上述の上ケーシングは、その内側に第１位置制限孔縁が設けられ、該嵌合座の内側に第２位置制限孔縁が設けられ、該第２位置制限孔縁と該第１位置制限孔縁が突き合わせ接合されて位置制限孔が形成されることを特徴とする、多種連結施錠可能な自転車用錠。
【請求項８】
請求項５記載の多種連結施錠可能な自転車用錠において、該連結部に二つの貫通孔が設けられて、二つの第１ビーズの進出に対応し、並びに該外接装置の二つの位置制限溝に係止することを特徴とする、多種連結施錠可能な自転車用錠。
【請求項９】
請求項５記載の多種連結施錠可能な自転車用錠において、該連結部の両辺側それぞれに夾持溝が設けられ、該外接装置の両側それぞれに係合部が設けられ、それは該夾持溝に対応し係合することを特徴とする、多種連結施錠可能な自転車用錠。